(57)【要約】      （修正有）【課題】軽量で飛距離の出ない、当たっても安全なボールを使用し、トスマシーンや集球ネットの規格を大幅にシンプルでコンパクトなものにすることにより、小型化、低価格化、設置と収納の簡素化、使用場所の選択肢を増やすティーバッティング練習用集球ネットを提供する。【解決手段】 フレーム部Ａと受球ネット部Ｂ及び集球ネット部Ｃから成り、フレーム部は複数のパイプを接続した前面フレームＡ−１と後部フレームＡ−２から構成されている。受球ネット部は前面フレームの上辺のポールを、受球ネット部上辺に縫製固定された筒状帯Ｇの中に挿入することによって吊り下げ固定されており、前面Ｈと背面Ｉに分かれていて、前面受球ネットは、ボールの威力を吸収して真下に落下させるため十分なサイズ的余裕をもって作られている。【選択図】図１
0003143165.tif 000002
【実用新案登録請求の範囲】
【請求項１】
軽量安全ボール用トスマシーンによって打ち出された軽量安全ボールをバット等で打ち返し、その打ち返されたボールを受球ネットで受け止め、底部の集球ネットスロープを介して、集球ネット中央のボール回収口リングより再び前記のトスマシーンに供給するようにした自動集球トスネット装置において、受球ネットは打ち込まれたボールの威力を減じるのに十分な程度にたるみが出るよう設計されたサイズの2重ネットからなり、また、集球ネットは、その４辺をバインディング加工された方形のネットで、その中央部に集球ネット自体を傾斜させその傾斜を一定に保つためにネットに対して適度な張力をかけるのに必要な重量を持つ錘としての役割を兼ね備えた回収口リングを有し、集球ネットスロープを転がり来たボールを集め、回収口リングの下に非接触で位置したトスマシーンのボール補給部を介してトスマシーンにボールを再供給することを特徴とするティーバッティング練習用自動集球トスネット装置。
【請求項２】
前記受球ネットと集球ネットは、複数のポールからなり組み立てや分解が容易で、しかも持ち運びが便利な枠体によって保持されることを特徴とした請求項１記載のティーバッティング練習用自動集球トスネット装置。
【請求項３】
前記集球ネットのボール回収口リングは、その下に位置した軽量安全ボール用トスマシーンのボール補給部とは一定の距離を置いて非接触で対峙しており、集球ネット４隅のネットの升目を、４隅のポールに取り付けたフック部に掛けて集球ネットのサイズを調整することにより、集球ネットのボール回収口リングとマシーンのボール補給部との間隔を自在に調整し、長期間の使用による集球ネットのネット材自身の伸張に対応することが可能となった請求項１、または２記載のティーバッティング練習用自動集球トスネット装置。
【考案の詳細な説明】
【技術分野】
【０００１】
本考案は，野球・ソフトボール用のティーバッティング練習用自動集球トスネット装置の構造に関するものである。
【背景技術】
【０００２】
野球には、ティーバッティング練習という練習方法がある。元々は、コーチや同僚等からトスされたボールを打つことにより、バットスイングのタイミングやミートのポイント等を知覚練習するものであったが、近年はトスする人間の代わりにトスマシーンなどの器具を代用するようにもなって来ており、一人でもティーバッティング練習ができるようになった。
【０００３】
従来の野球・ソフトボール用のティーバッティング練習用集球ネットは、ネット内に打ち込んだボールが、ネット内の底部または設定された収球部に溜まり、ある一定の数のボールを打ち終わると、トスをした人、もしくはティーバッティング練習をした人が、その練習を打ち切り、ボールを回収する作業をしなければ、また次の練習を始めることができなかった。限られた時間内に多く練習量をこなさなければならない、野球・ソフトボールの練習環境において、このボール拾いに費やされる時間と労力は、膨大な無駄であり、寸分の時間を惜しんで練習に励みたい多くの球児にとって悩みの種となっていた。
【０００４】
もうひとつの課題は、従来のティ−バッティング練習用受球ネットでは、ある一定数量のボールを連続して打ち込む練習をするためには、一定数量のボールが必要であり（通常３０球から１００球程度）、決して安くはないこのボールの経費負担が、多くの球児にとって悩みの種となっていた。
【０００５】
さらにもう一つの大きな課題は、トスされたボールをネットに打ち込むためにはある程度の技量が必要であり、かなりの技量を備えた人でも、数１０球に１球はネットを捕らえることができず、後方高くに打ち返してしまう危険性を伴っていることである。広いグラウンドでの練習なら問題は無いが、住宅地の庭先など周辺環境を考慮しなければならない場所では、これは大きな問題であり、一人でもできるティーバッティング練習というテーマに大きな制限を加えている現状がある。
練習者は万一のことを考え、ネットの大型化を求めたり、隣家との境に防御ネットを張り巡らせねばならず、大きな経費負担となっている。
【０００６】
そして何よりも問題なことは、捕球ネットを外さないようにと無意識にスイングが縮こまってしまい、ティーバッティング練習において、無意識にフルスイングができなくなっている点である。
【０００７】
そこで考案されたのが、実用新案第3122137号に開示されているような、ネットに打ち込んだボールをトスマシーンと併用させて自動的に再トスをする方法である。
【特許文献１】実用新案第3122137号 この考案は、正規の野球ボールを使用することに固執し、捕球性能を追及するあまりネットの大型化を進めた結果、巨大化、複雑化してしまい、高価で組み立てや分解に大変な労力と時間がかかり、使用する場所も限定されてしまい、扱いづらい練習用具となってしまっている。  また、いかにネットを巨大化しても、それでもネットを外して打球が飛んでいってしまう危険性から完全に逃れることはできず、どうしてもスイングが縮こまってしまうという最大の欠点を克服できていない。
【考案の開示】
【考案が解決しようとする課題】
【０００８】
そもそもティーバッティング練習というのはバットスイングのタイミングやミートのポイント等を知覚練習するものであり、多くの犠牲を払ってまで、正規の野球、ソフトボールを使用する必要性は感じられない。代用の軽量ボールでも、十分に練習効果があげられるわけである。
【０００９】
本考案は、上記のような問題点の解決を図るために，野球・ソフトボール用のティーバッティング練習用自動集球トスネット装置に関して、軽量で飛距離の出ない、当たっても安全なボールを使用することにより、トスマシーンや集球ネットの規格を大幅にシンプルでコンパクトなものにすることにより、小型化、低価格化、設置と収納の簡素化、使用場所の選択枝を増やすとともに、なによりも、周囲への気兼ねを無くして、小型の集球ネットに対してでもフルスイングでのティーバッティング練習を可能にしようというものである。
軽量安全ボールを使用することにより、トスマシーンや集球ネットは劇的に小型軽量化するが、ティーバッティング練習の主要課題であるミート練習にはなんら支障は無く、逆により思い切ったスイングが可能となるわけである。
【課題を解決するための手段】
【００１０】
本考案による課題の解決手段を以下に要約する。
課題を解決するために考案されたティーバッティング練習用軽量安全ボールは（図−３）のように、軽量化や飛距離の低減を図るためたくさんの穴があけられており、周囲の人や家屋に当たっても被害を及ぼさない程度に柔く、踏みつけて変形してもすぐに元の球状のもどる材質でできているが、十分な打感を備えているので、ミート練習には最適である。
【００１１】
課題を解決するために考案されたティーバッティング練習用トスマシーンは、集球ネットの回収口下に一定の距離を保って非接触で対峙するボール補給部を要し（図２−J）、補給したボールを一定の間隔で打者のティーバッティング練習に必要な高さまで角度を変えてトスできる性能を持ったものである。
【００１２】
課題を解決するために考案されたティーバッティング練習用集球ネットは、フレーム部(図１−A)と受球ネット部(図1−B)及び集球ネット部(図1−C)から成り、フレーム部は複数のパイプを接続した前面フレーム(図１−A-１)と後部フレーム(図１−A-２)から構成されている。受球ネット部は前面フレームの上辺のポールを、受球ネット部上辺に縫製固定された筒状帯(図１−G)の中に挿入することによって吊り下げ固定されており、前面（図２−H）と背面(図２−I)に分かれていて、前面受球ネットは、ボールの威力を吸収して真下に落下させるため十分なサイズ的余裕をもって作られている。
【００１３】
集球ネット部は、(図１−C)に記されたような形状をしており、その中心に錘としての役割を果たす回収口リング（図１−E）が縫製固定させており、その重量によって中心部が下方に落ち込み、図のようなスロープ形状を形作り、この傾斜によってボールを中心に集め、回収口リングを通して下部のトスマシーン（図１−F）に供給する仕組みである。集球ネット部はその４辺をバインディング加工されており、その４隅を前面フレームと後部フレームに溶接固定されたフック（図１−D)に掛けることにより、フレーム体に取り付け固定させる。
【００１４】
ネット自体は長時間使用することにより伸びてしまうことがあり、スロープの傾斜に歪みが生じることがあるが、その場合は４隅のネットのフックがけの位置をネットの升目をずらして調整することが可能である。
回収口リングとトスマシーンのボール補給部（図1−J）とは微妙な間隔をもって非接触で対峙しなければならないため、このような微調整が必要なわけである。
【００１５】
省スペースを追求した、この野球・ソフトボール用のティーバッティング練習用自動集球トスネット装置であるが、使用しないときは前面フレームのV字部（図２−K）から後部フレームを抜き取るだけでネット全体を平面にすることができ、壁に立てかけたり、ちょっとした隙間に収納したりすることができる。  
【考案の効果】
【００１６】
本考案の野球、ソフトボール用ティーバッティング練習用集球ネット装置は、従来品に比べ構造がいたってシンプル、コンパクトであり、また、軽量安全ボールを使用しているため、ティーバッティング練習をする場所の選択肢が大幅に増えた。住宅地の前庭のスペースや駐車場、体育館や室内練習場はもちろん、周辺環境さえ整えれば、一般家屋の中でもティーバッティング練習が可能である。
また、組み立て、分解がいたってシンプルでしかも軽量・コンパクトなため、試合会場などに持ち込み試合開始前の貴重な時間をティーバッティング練習に当てた後、バッターボックスに立つことができる。
【００１７】
練習方法を簡単に描写すると下記のようになる。
トスマシーンによってトスされた軽量安全ボールを、ティ−バッティング練習をする人がティーバッティング練習用集球用ネット内に打ち込む。打ち込まれたボールは、受球ネットの特殊形状とサイズ的余裕によって作り出された空間とネットの自重でその打撃方向の威力を急減され、真下に落下することとなる。ボールが落下した底部には、受球ネット部同様のネットによって作られた集球ネットが設置されており、落下の威力を上手く弾力性素材によって吸収されて軟着地したボールは、中心の回収口リングの重量によって作られたネットスロープの傾斜を転がってネットスロープの中心部に集まり、中心の回収口リングから下部のトスマシーンの補給部へとボールは供給される。
【００１８】
この一連の動きは、打球がネットを外れない限り、半永久的に連続することが可能であるため、従来しなければならなかったボール拾いに煩わされることがなくなり、思い切り、好きなだけティーバッティング練習に打ち込むことができる。また、従来準備しなければならなかった多数のボールも、ほんの３〜５個ですみ、その経費を他の用途に割り当てることができる。時間と経費の両方を節約できるわけである。
【００１９】
このティーバッティング練習用自動集球ネット装置に使用するボールは、穴あきで柔らかく軽量安全である。たとえ集球ネットを外したとしても、周囲に及ぼす被害はほとんど無いため、安心してフルスイングのミート練習ができる。しかも、十分に打感があるため、ミート練習には最適である。
【図面の簡単な説明】
【００２０】
【図１】はティーバッティング練習用自動集球ネット装置集球の全体構成を説明する全体図。
【図２】はティーバッティング練習用自動集球ネット装置の全体構成を説明する側面図。
【図３】はティーバッティング練習用自動集球ネット装置集球ネット専用使用球の全体図。
【図４】はティーバッティング練習用自動集球ネット装置とティーバッティング練習をする人との位置関係を示す使用時全体図。
【符号の説明】
【００２１】
A  フレーム
B  受球ネット
C  集球ネット
D  フック
E  回収口リング
F  トスマシーン
G  筒状帯
H  受球ネット前面
I  受球ネット背面
J  ボール補給部
K  フレームのV字部
【図１】
0003143165.tif 000003
【図２】
0003143165.tif 000004
【図４】
0003143165.tif 000005
【図３】
0003143165.tif 000006